(57)【特許請求の範囲】
【請求項１】
表示画面を備えた表示機構と、前記表示機構を収納する筐体を構成する光透過性枠体および後部カバーと、前記光透過性枠体の背面側に配置され、前記光透過性枠体を介して外部から視認される枠形状のデザインシートとを備えた情報表示装置において、
前記筐体は、前記デザインシートを背面側から支持する枠形状のスペーサを内部に備え、
前記光透過性枠体は、前記表示画面に対して前記デザインシートと前記スペーサの位置決めを行う基準面を下辺内周に備え、
前記デザインシートは、その下端部が前記基準面に当接するように取り付けられ、
前記スペーサは、前記光透過性枠体の背面に前記デザインシートを密着させるように前記基準面に当接した状態で前記デザインシートを前記光透過性枠体との間で狭持することを特徴とする情報表示装置。
【請求項２】
請求項１記載の情報表示装置において、
前記スペーサは、前記デザインシートを前記スペーサに貼り付けた状態で前記光透過性枠体との間で狭持することを特徴とする情報表示装置。
【請求項３】
請求項１または２に記載の情報表示装置において、
前記光透過性枠体は、複数の係合構造を介して前記後部カバーに着脱可能に支持され、
前記デザインシートおよび前記スペーサは、前記光透過性枠体の着脱により着脱されることを特徴とする情報表示装置。
【請求項４】
請求項１〜３の何れか１項に記載の情報表示装置において、
前記スペーサの周辺部には、背面側に折り返された遮光リブが形成され、前記表示機構の背面側から前記光透過性枠体の背面側への光漏れを防止することを特徴とする情報表示装置。
【請求項５】
請求項１〜４の何れか１項に記載の情報表示装置において、
前記光透過性枠体の外面および背面の少なくとも一方がしぼ加工面を呈し、当該光透過性枠体が半透明となっていることを特徴とする情報表示装置。
【請求項６】
請求項１〜４の何れか１項に記載の情報表示装置において、
前記光透過性枠体は、蓄光性素材からなることを特徴とする情報表示装置。
【請求項７】
請求項１〜６の何れか１項に記載の情報表示装置において、
前記デザインシートは、着色や模様形成により所望のデザインが施されているとともに、当該デザインが前記光透過性枠体を透過して外部から視認可能であることを特徴とする情報表示装置。
【発明の詳細な説明】
【０００１】
【発明の属する技術分野】
本発明は、情報表示技術に関し、特に、情報処理機器のディスプレイ等に適用して有効な技術に関する。
【０００２】
【従来の技術】
たとえば、パーソナルコンピュータ等の情報処理機器では、ユーザインターフェイスとして一般にディスプレイが備えられている。一方、ユーザのデザイン嗜好の多様化に伴って、機器本体やディスプレイ筐体自体に着色した多様な外観デザインも採用され始めている。
【０００３】
【発明が解決しようとする課題】
ところが、上述のように、ディスプレイ筐体自体に着色等のデザインを施す場合には、デザインの種類だけ、多種多様な筐体を製造する必要があるため、製造工程が煩雑化し、コスト高になる等の技術的課題がある。
【０００４】
なお、この対策として、たとえば、筐体の外部にネジ止め等の方法で透明板を装着し、この透明板と筐体との間にカラーシートを挟む等の構造も考えられるが、透明板等の余分な部品が必要になるとともに、透明板等の余分な部品の取り付け用のねじ孔の設置等のために筐体の設計に制約を受ける等の他の技術的課題を生じる。
【０００５】
本発明の目的は、製造工程の煩雑化やコスト高を招くことなく、情報表示装置の多様な外観デザインを実現することが可能な技術を提供することにある。
【０００６】
本発明の他の目的は、余分な外付け部品等を必要とすることなく、情報表示装置の多様な外観デザインを実現することが可能な技術を提供することにある。
【０００７】
本発明の他の目的は、筐体に設計上の制約を生じることなく、情報表示装置の多様な外観デザインを実現することが可能な技術を提供することにある。
【０００８】
本発明の他の目的は、簡便に、顧客の嗜好に応じた情報表示装置の多様なデザインを実現することが可能な技術を提供することにある。
【０００９】
本発明の前記ならびにその他の目的と新規な特徴は、本明細書の記述および添付図面から明らかになるであろう。
【００１０】
【課題を解決するための手段】
本願において開示される発明のうち、代表的なものの概要を簡単に説明すれば、以下のとおりである。
【００１１】
本発明の情報表示装置は、表示画面を備えた表示機構と、表示機構を収納する筐体を構成する光透過性枠体および後部カバーと、光透過性枠体の背面側に配置され、光透過性枠体を介して外部から視認される枠形状のデザインシートとを備え、筐体は、デザインシートを背面側から支持する枠形状のスペーサを内部に備え、光透過性枠体は、表示画面に対してデザインシートとスペーサの位置決めを行う基準面を下辺内周に備え、デザインシートは、その下端部が基準面に当接するように取り付けられ、スペーサは、光透過性枠体の背面にデザインシートを密着させるように基準面に当接した状態でデザインシートを光透過性枠体との間で狭持する構成としたものである。
【００１２】
このスペーサは、デザインシートをスペーサに貼り付けた状態で光透過性枠体との間で狭持する構成としてもよい。また、スペーサの周辺部に背面側に折り返された遮光リブを形成し、表示機構の背面側から光透過性枠体の背面側への光漏れを防止する構成としてもよい。光透過性枠体は、複数の係合構造を介して後部カバーに着脱可能に支持され、デザインシートおよびスペーサは、光透過性枠体の着脱により着脱可能である。この光透過性枠体は蓄光性素材によって構成してもよい。また、デザインシートは、着色や模様形成により所望のデザインが施されるとともに、当該デザインが光透過性枠体を透過して外部から視認可能であることを特徴とする。
【００１５】
光透過性枠体は、その表面および背面の少なくとも一方をしぼ加工面とすることで不透明とし、背面側に位置するデザインシートやスペーサの輪郭を目立たなくするとともに、光透過性枠体の背面側に対するデザインシートの均一な密着性を向上させ、光透過性枠体を介して視認されるデザインシートのデザインの美観を向上させることができる。
【００１６】
【発明の実施の形態】
以下、本発明の実施の形態を図面を参照しながら詳細に説明する。
【００１７】
図１は、本発明の一実施の形態である情報表示装置の構成の一例を示す分解斜視図、図２は、その正面図、図３は、その側面図、図４は、その背面図、図５および図６は、その一部の断面図、図７（ａ）〜（ｄ）は、本実施の形態の情報表示装置にて採用された各種係合構造を取り出して例示した説明図である。
【００１８】
本実施の形態では、情報表示装置の一例として、ディスプレイ一体型情報処理装置における情報表示装置に適用した場合を例に採って説明する。
【００１９】
図１等に例示されるように、本実施の形態のディスプレイ一体型情報処理装置は、板金等で構成されるシャーシ１０と、シャーシ１０に背面が支持される液晶ディスプレイパネル２０と、これらを収容する筐体を構成する前面カバーとしての光透過性枠体３０および後部カバー４０と、前面下部カバー５０と、前面下部中央カバー６０と、シャーシ１０を介して筐体全体を水平面内での旋回およびチルト動作が可能なように支持するスタンド部７０とで構成されている。
【００２０】
光透過性枠体３０は、たとえば、樹脂やガラス等で構成することができる。必要に応じて、蓄光性の物質を混入して暗い環境で発光するようにしてもよい。
【００２１】
シャーシ１０には、図示しないマイクロプロセッサや主記憶等が実装されたマザーボード１１や、電源１２、さらにはＨＤＤ１３、ＣＤ−ＲＯＭドライブ１４、ＦＤドライブ１５等の外部記憶装置が支持されている。
【００２２】
ＣＤ−ＲＯＭドライブ１４およびＦＤドライブ１５の各々は、その媒体出し入れ口１４ａおよび媒体出し入れ口１５ａが前面下部中央カバー６０に露出している。
【００２３】
前面下部カバー５０において、前面下部中央カバー６０の左右には、一対のスピーカ５１、電源スイッチ５２等が配置されている。
【００２４】
後部カバー４０は、複数の固定ねじ４１を介して、シャーシ１０に固定され、前面下部カバー５０は、図示しない固定ねじを介してシャーシ１０に支持されている。
【００２５】
光透過性枠体３０は、複数の係合構造Ａ、係合構造Ｂ、係合構造Ｃおよび係合構造Ｄを介して、シャーシ１０、後部カバー４０および前面下部カバー５０に着脱自在に支持されている。
【００２６】
すなわち、光透過性枠体３０の上部に３ヵ所設けられた係合構造Ａは、図５の上部および図７（ａ）等に例示されるように、光透過性枠体３０の上辺部に奥行き方向に突設された上向き係合爪３１、後部カバー４０の開口部の上部内周に配置され上向き係合爪３１に嵌合する嵌合溝４２、上向き係合爪３１の下面に刻設された嵌合溝３１ａ、シャーシ１０の上部に上向きに突設され、嵌合溝３１ａに嵌合する垂直突起１０ａ、等からなる。
【００２７】
光透過性枠体３０の上部に２ヵ所設けられた係合構造Ｂは、図１および図７（ｂ）等に例示されるように、光透過性枠体３０の上辺に奥行き方向に突設された枠状フック３２、シャーシ１０の上部に奥行き方向に傾斜して突設され、枠状フック３２に嵌合する傾斜突起１０ｂ、からなる。
【００２８】
光透過性枠体３０の下辺に設けられた二つの係合構造Ｃは、図６および図７（ｃ）等に例示されるように光透過性枠体３０の下辺に奥行き方向に突設された下向き係合爪３３、シャーシ１０に設けられ、下向き係合爪３３が挿入された嵌合する、折り返し片１０ｃからなる。
【００２９】
光透過性枠体３０の下辺に設けられた二つの係合構造Ｄは、図６および図７（ｄ）等に例示されるように光透過性枠体３０の下辺に下向きに突設され、前面下部カバー５０の両端部の内側に嵌合される垂直係合片３４、からなる。
【００３０】
本実施の形態の場合、光透過性枠体３０は、上述のように、後部カバー４０に対して着脱可能にされているとともに、この光透過性枠体３０と液晶ディスプレイパネル２０の間には、液晶ディスプレイパネル２０の表示画面２１を取り囲む枠形状のデザインシート８０と、このデザインシート８０を背面側から支持し、光透過性枠体３０の背面に均一に密着させる枠形状のスペーサ９０が配置されている。デザインシート８０およびスペーサ９０は、光透過性枠体３０を取り外すことで交換可能となっている。
【００３１】
デザインシート８０には、着色、模様の形成等により所望のデザインが施されており、このデザインシート８０のデザインは光透過性枠体３０を透過して外部から視認される。
【００３２】
本実施の形態の場合、光透過性枠体３０は、図２の正面側に露出する外面および背面が、それぞれ、微細な凹凸（梨地）を呈するしぼ加工面３０ａおよびしぼ加工面３０ｂとなっており、光透過性枠体３０の全体が半透明となっている。
【００３３】
このように、外面および背面の各々をしぼ加工面３０ａおよびしぼ加工面３０ｂとして光透過性枠体３０を半透明とすることで、当該光透過性枠体３０の内側のデザインシート８０およびスペーサ９０の輪郭が目立つことがなくなり、デザインシート８０に施されたデザインの美観が向上する。
【００３４】
さらに、デザインシート８０に接する光透過性枠体３０の背面をしぼ加工面３０ｂとしたことで、当該デザインシート８０との密着性が向上し、たとえば、デザインシート８０の一部が光透過性枠体３０の背面（しぼ加工面３０ｂ）から部分的に離れて（浮き上がって）不鮮明になることがなくなり、デザインシート８０に施されたデザインの美観が向上する。
【００３５】
また、光透過性枠体３０の外面をしぼ加工面３０ａとしたことは、当該光透過性枠体３０を不透明にする効果の他に、樹脂成型における継ぎ目等を目立たなくする効果も得られる。
【００３６】
また、図６に例示されるように、デザインシート８０およびスペーサ９０は、下端部が、光透過性枠体３０の下辺内周の基準面３０ｃに当接された状態で組み込まれ、この状態にて、枠形状のデザインシート８０およびスペーサ９０の各々の内周位置が、液晶ディスプレイパネル２０の表示画面２１の輪郭と所定の位置関係になるように、デザインシート８０およびスペーサ９０の各々の枠寸法が設定されている。
【００３７】
すなわち、デザインシート８０やスペーサ９０の交換に際しては、ユーザは、デザインシート８０およびスペーサ９０の下端部を、光透過性枠体３０の下辺内周の基準面３０ｃに当接させるだけで、液晶ディスプレイパネル２０の表示画面２１の輪郭に対して正確に位置決めすることができ、上下方向の煩雑な位置決め操作等は全く不要であり、簡便にデザインシート８０およびスペーサ９０の取り付けや交換作業を行うことができる。
【００３８】
また、本実施の形態の場合には、スペーサ９０の左右両端には、背面側、すなわち、液晶ディスプレイパネル２０のフレーム２２の左右の辺を覆い隠すように折り返された遮光リブ９１が設けられおり、液晶ディスプレイパネル２０の背面側に設けられた図示しないバックライトの光が、光透過性枠体３０の背面側に漏れだして、デザインシート８０の視認性を損なう等の不具合を防止できる。
【００３９】
デザインシート８０は、紙あるいは樹脂シート等の任意の素材で構成でき、スペーサ９０に貼り付けた状態で装着することもできる。
【００４０】
また、デザインシート８０の表裏両面にデザインを施し、必要に応じて裏返して使用してもよい。また、デザインシート８０の一枚の厚さ寸法を薄くして、表示用および交換用のデザインシート８０を複数枚重ね合わせた状態で装着し、最も手前側のデザインシート８０のデザインのみが光透過性枠体３０を介して視認されるようにしてもよい。
【００４１】
また、たとえば、液晶ディスプレイパネル２０の表示画面２１が比較的大きく、デザインシート８０の全体のサイズが、たとえばＡ４等の用紙サイズを越える場合には、複数のＡ４等の用紙から複数のシート片を切り出して繋ぎ合わせて製作してもよい。すなわち、デザインシート８０をユーザが自作する場合を考えると、通常のユーザが所有する普及型のプリンタは、Ａ４が最大印刷可能サイズであることが多いので、このＡ４の用紙サイズから切り出し可能な最大サイズのシート片をつなぎ合わせて一つのデザインシート８０を構成することができる。
【００４２】
次に、本実施の形態のディスプレイ一体型情報処理装置におけるデザインシート８０の交換方法の一例を説明する。
【００４３】
まず、図４に例示されるように、後部カバー４０の取外しに邪魔になる電源ケーブル１０１、インターフェイスカバー１０２等を取り外す。その後、複数の固定ねじ４１を外した後、後部カバー４０を後方に引き抜く。この時、係合構造Ａにおいて光透過性枠体３０側の上向き係合爪３１から、後部カバー４０側の嵌合溝４２が外れるように、後部カバー４０の後端を若干持ち上げるようにして取り外す。
【００４４】
次に、図３に示されるように、光透過性枠体３０を上方に僅かに持ち上げるとともに僅かに上部を後方に傾動させることで、係合構造Ａにおいて、上向き係合爪３１の下面に刻設された嵌合溝３１ａをシャーシ１０の上部に上向き突設された垂直突起１０ａから離脱させるとともに、係合構造Ｂにおいて光透過性枠体３０の上辺に奥行き方向に突設された枠状フック３２を、シャーシ１０側の傾斜突起１０ｂから離脱させる。この時、同時に、係合構造Ｃでは、光透過性枠体３０の下向き係合爪３３はシャーシ１０の折り返し片１０ｃから離脱し、係合構造Ｄでは、光透過性枠体３０の垂直係合片３４が前面下部カバー５０の両端部から離脱し、光透過性枠体３０は、デザインシート８０およびスペーサ９０とともに取り外される。
【００４５】
光透過性枠体３０の取り付け操作は、上述の取外し手順と逆の手順を実行すればよい。その際、光透過性枠体３０に対するデザインシート８０およびスペーサ９０の取り付けでは、光透過性枠体３０の下辺の基準面３０ｃに対して、デザインシート８０およびスペーサ９０の下端を自重にて自然に当接させるだけて位置調整が完了するので、簡便に、デザインシート８０およびスペーサ９０の取り付けや交換を行うことが可能になる。
【００４６】
また、スペーサ９０にてデザインシート８０を背後から支持して光透過性枠体３０内に装着するので、光透過性枠体３０を後部カバー４０に組み付ける際に、剛性の小さな薄い紙や樹脂シート等からなるデザインシート８０が光透過性枠体３０から脱落することがなく、デザインシート８０および光透過性枠体３０の後部カバー４０に対する組み付け作業の作業性が向上する。
【００４７】
以上説明したように、本実施の形態の情報表示装置の一例であるディスプレイ一体型情報処理装置によれば、後部カバー４０とともに筐体を構成する光透過性枠体３０を着脱可能に構成し、この光透過性枠体３０の背後にデザインシート８０をスペーサ９０との間に挟み込んで配置して当該デザインシート８０のデザインを外部から光透過性枠体３０を介して視認可能にしたので、たとえば筐体自体に多様なデザインを施す場合に比較して、デザインシート８０を交換するだけの簡単な操作で、かつ低コストにて、メーカのみならず、ユーザの側においてもディスプレイ一体型情報処理装置の筐体の多様なデザインを実現できる、という利点が得られる。
【００４８】
また、光透過性枠体３０等の筐体の外側には余分な部品を取り付ける必要がないので、たとえば、筐体の外側に透明部材をネジ止めし、この透明部材の内側にカラーシートを挟み込む場合等に比較して、部品点数が減るとともに、筐体の設計の自由度も向上する。
【００４９】
以上本発明者によってなされた発明を実施の形態に基づき具体的に説明したが、本発明は前記実施の形態に限定されるものではなく、その要旨を逸脱しない範囲で種々変更可能であることはいうまでもない。
【００５０】
たとえば、上述の実施の形態では、情報表示装置の一例として、ディスプレイ一体型情報処理装置等に適用した場合を例示したが、テレビジョン受像機等の一般のディスプレイに広く適用することができることは言うまでもない。
【００５１】
また、表示機構としては液晶ディスプレイパネル等に限らず、陰極線管（ＣＲＴ）、プラズマディスプレイ等、任意の表示機構を含む表示装置に適用することができる。
【００５２】
【発明の効果】
本願において開示される発明のうち、代表的なものによって得られる効果を簡単に説明すれば、以下のとおりである。
【００５３】
本発明の情報表示装置によれば、製造工程の煩雑化やコスト高を招くことなく、情報表示装置の多様な外観デザインを実現することができる、という効果が得られる。
【００５４】
本発明の情報表示装置によれば、余分な外付け部品等を必要とすることなく、情報表示装置の多様な外観デザインを実現することができる、という効果が得られる。
【００５５】
本発明の情報表示装置によれば、筐体に設計上の制約を生じることなく、情報表示装置の多様な外観デザインを実現することができる、という効果が得られる。
【００５６】
本発明の情報表示装置によれば、簡便に、顧客の嗜好に応じた情報表示装置の多様なデザインを実現することができる、という効果が得られる。
【図面の簡単な説明】
【図１】本発明の一実施の形態である情報表示装置の構成の一例を示す分解斜視図である。
【図２】本発明の一実施の形態である情報表示装置の正面図である。
【図３】本発明の一実施の形態である情報表示装置の側面図である。
【図４】本発明の一実施の形態である情報表示装置の背面図である。
【図５】本発明の一実施の形態である情報表示装置の一部の断面図である。
【図６】本発明の一実施の形態である情報表示装置の一部の断面図である。
【図７】（ａ）〜（ｄ）は、本発明の一実施の形態である情報表示装置にて採用された各種係合構造を取り出して例示した説明図である。
【符号の説明】
１０  シャーシ
１０ａ  垂直突起
１０ｂ  傾斜突起
１０ｃ  折り返し片
１１  マザーボード（情報処理機構）
１２  電源
１３  ＨＤＤ
１４  ＣＤ−ＲＯＭドライブ
１４ａ  媒体出し入れ口
１５  ＦＤドライブ
１５ａ  媒体出し入れ口
２０  液晶ディスプレイパネル（表示機構）
２１  表示画面
２２  フレーム
３０  光透過性枠体（筐体）
３０ａ  しぼ加工面
３０ｂ  しぼ加工面
３０ｃ  基準面
３１  上向き係合爪
３１ａ  嵌合溝
３２  枠状フック
３３  下向き係合爪
３４  垂直係合片
４０  後部カバー（筐体）
４１  固定ねじ
４２  嵌合溝
５０  前面下部カバー
５１  スピーカ
５２  電源スイッチ
６０  前面下部中央カバー
７０  スタンド部
８０  デザインシート
９０  スペーサ
９１  遮光リブ
１０１  電源ケーブル
１０２  インターフェイスカバー
Ａ  係合構造
Ｂ  係合構造
Ｃ  係合構造
Ｄ  係合構造
【図１】
0004565681.tif 000002
【図２】
0004565681.tif 000003
【図３】
0004565681.tif 000004
【図４】
0004565681.tif 000005
【図５】
0004565681.tif 000006
【図６】
0004565681.tif 000007
【図７】
0004565681.tif 000008